(57)【特許請求の範囲】
【請求項１】
ＣＲＣビットを付加する前のユーザデータのビット数であるTransport Block size（TB size）を含む送信フォーマットを示すインデックスを受信する受信処理と、
前記送信フォーマットを用いて、前記ユーザデータと制御情報とを符号化する符号化処理と、
符号化された前記ユーザデータ及び前記制御情報を送信する送信処理と、
を制御する集積回路であって、
前記符号化処理は、前記制御情報と共に送信されない場合の前記ユーザデータの符号化率と前記制御情報と共に送信される場合の前記ユーザデータの符号化率とが異なるように、前記ユーザデータと共に送信する前記制御情報との組み合わせによって、前記送信フォーマットのTB sizeに対応する前記ユーザデータの符号化率を調整する、
集積回路。
【請求項２】
前記符号化処理は、前記インデックスと前記送信フォーマットとの関連付けを参照して得られた前記送信フォーマットを用いる、
請求項１に記載の集積回路。
【請求項３】
前記ユーザデータのTB sizeを、前記制御情報との組み合わせによって変化させない、
請求項１又は請求項２に記載の集積回路。
【請求項４】
前記符号化処理は、前記ユーザデータの符号化率を、前記制御情報との組み合わせによって変化させる、
請求項１から請求項３のいずれかに記載の集積回路。
【請求項５】
前記符号化処理は、前記符号化率を調整することによって、前記ユーザデータのレートマッチングを行う、
請求項１から請求項４のいずれかに記載の集積回路。
【請求項６】
前記制御情報のシンボル数が、前記ユーザデータのシンボル数によって変化する、
請求項１から請求項５のいずれかに記載の集積回路。
【請求項７】
ＣＲＣビットを付加する前のユーザデータのビット数であるTransport Block size（TB size）を含む送信フォーマットを指示するインデックスを送信する送信処理と、
前記送信フォーマットを用いて符号化された、前記ユーザデータと制御情報とを受信する受信処理と、
を制御する集積回路であって、
前記受信処理は、前記送信フォーマットのTB sizeに対応する符号化率が、前記制御情報と共に送信されない場合の前記ユーザデータの符号化率と前記制御情報と共に送信される場合の前記ユーザデータの符号化率とが異なるように、前記ユーザデータと共に受信する前記制御情報との組み合わせによって、調整されている前記ユーザデータを受信する、
集積回路。
【請求項８】
受信した前記ユーザデータ及び前記制御情報を復号する復号処理をさらに制御する、
請求項７に記載の集積回路。
【請求項９】
前記復号処理は、前記送信フォーマットを用いて、受信した前記ユーザデータ及び前記制御情報を復号する、
請求項８に記載の集積回路。
【請求項１０】
前記復号処理は、前記インデックスと前記送信フォーマットとの関連付けを参照して得られた前記送信フォーマットを用いる、
請求項８又は請求項９に記載の集積回路。
【請求項１１】
前記受信処理は、TB sizeが、前記制御情報との組み合わせによって変化していない前記ユーザデータを受信する、
請求項７から請求項１０のいずれかに記載の集積回路。
【請求項１２】
前記受信処理は、前記符号化率が、前記制御情報との組み合わせによって変化している前記ユーザデータを受信する、
請求項７から請求項１１のいずれかに記載の集積回路。
【請求項１３】
前記受信処理は、前記符号化率が調整されることによって、レートマッチングが行われている前記ユーザデータを受信する、
請求項７から請求項１２のいずれかに記載の集積回路。
【請求項１４】
前記受信処理は、シンボル数が、前記ユーザデータのシンボル数によって変化している前記制御情報を受信する、
請求項７から請求項１３のいずれかに記載の集積回路。
【請求項１５】
前記送信フォーマットは、前記ユーザデータに対する送信パラメータが設定されている、
請求項１から請求項１４のいずれかに記載の集積回路。
【請求項１６】
前記送信フォーマットには、TB size及び変調方式の各送信パラメータが含まれている、
請求項１から請求項１５のいずれかに記載の集積回路。
【請求項１７】
前記制御情報は、ＡＣＫ／ＮＡＣＫ又はＣＱＩである、
請求項１から請求項１６のいずれかに記載の集積回路。
【発明の詳細な説明】
【技術分野】
【０００１】
本発明は、スケジューリングによりアップリンク帯域割り当てを行う集積回路に関する。
【背景技術】
【０００２】
現在、3rd Generation Partnership Project (3GPP)のTechnical Specification Group Radio Access Network(TSG RAN)において、次世代移動通信システムであるLong Term Evolution (LTE)の検討が進められている。TSG RANのWorking group1 (RAN1)では、ＬＴＥの無線アクセス方式の規格化が進められている。その中で、Single-carrier FDMA (SC-FDMA)がＬＴＥのアップリンク（Uplink）無線アクセス方式として採択されている。
【０００３】
このＳＣ−ＦＤＭＡは、低いＰＡＰＲ（Peak to Average Power Ratio）特性を備え、端末の送信電力に限りのあるアップリンクに適した方式である。したがって、ユーザデータを送信するタイミングでレイヤ１（Ｌ１）あるいはレイヤ２（Ｌ２）の制御情報を送信する場合は、ＳＣ−ＦＤＭＡの低ＰＡＰＲ特性を維持するため、端末では、これらの制御情報、ユーザデータ及び参照信号（チャネル推定用パイロット）を時間多重することが検討されている。
【０００４】
アップリンクで送信されるＬ１／Ｌ２制御情報として、例えば、ダウンリンクＡＣＫ／ＮＡＣＫ、ダウンリンクＣＱＩ（Channel Quality Indicator）は、アップリンク・ユーザデータ送信とは独立に、かつ、ダウンリンクのユーザデータ送信の有無に依存して発生する。したがって、アップリンクデータと時間多重されるＬ１／Ｌ２制御情報の数や組合せが変わるため、非特許文献１では、実際に時間多重されるＬ１／Ｌ２制御情報に対応して、制御情報及びユーザデータのシンボル割り当てを動的に行う（以下、「動的シンボル割り当て」という）ことにより、アップリンクの周波数利用効率の最大化を図る方法が検討されている。つまり、実際に多重されるＬ１／Ｌ２制御情報の内容に応じて、各Ｌ１／Ｌ２制御情報のシンボル数とユーザデータに割り当てるシンボル数を切り替える。
【０００５】
また、ＬＴＥでは、アップリンクについて、伝送路の品質に合わせた適応スケジューリング（伝搬路状況に応じた適応変調及び時間―周波数スケジューリング）の適用が検討されている。
【０００６】
上記非特許文献１に記載のように、時間多重されるＬ１／Ｌ２制御情報の有無や組み合わせによりユーザデータに割り当てるシンボル数が変わる場合、適応スケジューリングによるアップリンク帯域割り当てを行うと、アップリンクでデータ送信を行うために必要なアップリンク帯域割当情報を基地局（以下、「ＢＳ」という）から移動局（以下、「ＭＳ」という）に対して通知する必要があり、この情報量が増加してしまう。
【０００７】
アップリンクにおいて、伝送路状況に応じた適応スケジューリングをＢＳが行う場合、ＢＳは、各ＭＳより送信される参照信号を用いて、アップリンクの伝搬路品質（channel quality）を測定し、各ＭＳの帯域要求情報、具体的には、送信するデータ量や伝送レート、ＱｏＳ（Quality of Service）情報などから、各ＭＳに割り当てる帯域幅、シンボル数（あるいは、複数のシンボルで構成されるサブフレーム数）、送信パラメータ（変調多値数、誤り訂正符号の符号化率、拡散率など）を決定する。ＢＳは、決定したこれらの情報（帯域割当情報）をダウンリンクの制御チャネルを用いて、各ＭＳへ通知する。
【０００８】
また、非特許文献２及び非特許文献３に記載のＥ−ＤＣＨに対する帯域割り当てでは、ＢＳは、ＭＳに対し割り当てた時間スロット及び送信電力の上限値のみを通知し、ＭＳ側で、割り当てられた時間スロット及び許可された送信電力の範囲内で、ＭＳ側が符号化率、拡散率、送信データのビット数を選択し、ＢＳ側で受信処理を行わせるため、選択した送信パラメータをTransport block size（以下、「TB size」という）毎に付与されるTB Index（例えば図１）を用いて通知する。
【０００９】
TB sizeは、ＣＲＣ（Cyclic Redundancy Check）ビットを付加する前の送信データビット数を表し、利用可能な送信パラメータの組合せより導出される。１つのTB sizeには１つの符号化率と、拡散率とが対応する。変調多値数は固定であり、通知の必要はないので、TB sizeを通知することにより、受信側では、情報ビット数、拡散率及び符号化率を取得できる。
【００１０】
ＢＳで符号化率、拡散率、送信データのビット数を決定する集中制御システムを想定した場合であっても、TB sizeを帯域割当情報に含めることで、ＢＳが帯域割り当てを制御できる。
【先行技術文献】
【非特許文献】
【００１１】
【非特許文献１】R1-060111, Ericsson, "Uplink Control Signaling for E-UTRA," 3GPP TSG RAN1 WG1 Meeting #44, Denver, USA, February 13-17, 2006
【非特許文献２】3GPP TS 25.321V6.7.0(Annex)
【非特許文献３】3GPP TS 25.212V6.7.0(4.3 Transport format detection)
【発明の概要】
【発明が解決しようとする課題】
【００１２】
しかしながら、上述の動的シンボル割り当てを行う場合、アップリンクの周波数利用効率を向上できるが、一方で、ユーザデータに割り当てるシンボル数がＬ１／Ｌ２制御情報の組合せに応じて可変となるため、上記の帯域割当情報の通知方法では、ユーザデータに対する割当シンボル数あるいは割当TB sizeが制御情報の組合せ数だけ増加し、通知する帯域割当情報のIndex数、つまり、ビット数も増加する。以下、この場合について具体的に説明する。
【００１３】
ここで、ユーザデータは、変調方式としてＱＰＳＫ、１６ＱＡＭをとり、符号化率はＱＰＳＫ時に１／６、１／３、１／２、１６ＱＡＭ時に１／３、１／２、２／３、３／４をとると仮定する。このとき、ユーザデータのみ送信する場合のユーザデータ送信パラメータ（ＲＢ数、変調方式、符号化率）と帯域割当情報として通知する送信フォーマットのIndex（TF Index）は図２に示すように、２８通りとなり５ビットで通知可能である。ところが、前述のユーザデータ、Ｌ１／Ｌ２制御情報としてのＡＣＫ／ＮＡＣＫ及びＣＱＩの組み合わせを考慮した場合、単に従来技術同様、とり得るTB sizeを拡張すると、図３に示すように、TF Index数は１１２通りとなり、通知に１ＭＳあたり７ビット必要となる。
【００１４】
これにより、アップリンク・帯域割当情報、あるいは、従来方式のようにアップリンク・ユーザデータに付随して送信される復調用の制御情報（ＭＳ→ＢＳ）のシグナリング・オーバヘッドが増加し、それぞれ、ダウンリンク、アップリンクのスループットが低下してしまう。
【００１５】
本発明の目的は、動的シンボル割り当てを行う場合でも、ダウンリンク、アップリンクのスループットを改善する集積回路を提供することである。
【課題を解決するための手段】
【００１６】
本発明の集積回路は、ＣＲＣビットを付加する前のユーザデータのビット数であるTransport Block size（TB size）を含む送信フォーマットを示すインデックスを受信する受信処理と、前記送信フォーマットを用いて、前記ユーザデータと制御情報とを符号化する符号化処理と、符号化された前記ユーザデータ及び前記制御情報を送信する送信処理と、を制御する集積回路であって、前記符号化処理は、前記制御情報と共に送信されない場合の前記ユーザデータの符号化率と前記制御情報と共に送信される場合の前記ユーザデータの符号化率とが異なるように、前記ユーザデータと共に送信する前記制御情報との組み合わせによって、前記送信フォーマットのTB sizeに対応する前記ユーザデータの符号化率を調整する構成を採る。
【００１７】
本発明の集積回路は、ＣＲＣビットを付加する前のユーザデータのビット数であるTransport Block size（TB size）を含む送信フォーマットを指示するインデックスを送信する送信処理と、前記送信フォーマットを用いて符号化された、前記ユーザデータと制御情報とを受信する受信処理と、を制御する集積回路であって、前記受信処理は、前記送信フォーマットのTB sizeに対応する符号化率が、前記制御情報と共に送信されない場合の前記ユーザデータの符号化率と前記制御情報と共に送信される場合の前記ユーザデータの符号化率とが異なるように、前記ユーザデータと共に受信する前記制御情報との組み合わせによって、調整されている前記ユーザデータを受信する構成を採る。
【発明の効果】
【００１８】
本発明によれば、動的シンボル割り当てを行う場合でも、ダウンリンク、アップリンクのスループットを改善することができる。
【図面の簡単な説明】
【００１９】
【図１】TB sizeとIndexとの対応関係を示す図
【図２】ユーザデータ送信パラメータとIndexとの対応関係を示す図
【図３】ユーザデータとＬ１／Ｌ２制御情報とを多重する場合のTB sizeとIndexとの対応関係を示す図
【図４】アップリンクの時間−周波数無線リソースとその割当単位との関係を示す図
【図５】割当ＲＢ数に対する１サブフレーム当たりのデータシンボル数を示す図
【図６】ＵＬユーザデータとＬ１／Ｌ２制御情報とを多重した様子を示す図
【図７】本発明の実施の形態１に係るＢＳの構成を示すブロック図
【図８】本発明の実施の形態１に係る送信フォーマットテーブルを示す図
【図９】本発明の実施の形態１に係るＭＳの構成を示すブロック図
【図１０】ＢＳとＭＳとの通信手順を示すシーケンス図
【図１１】ＢＳとＭＳとの通信手順においてＭＳがＤＬ帯域割当情報の受信に失敗する場合を示すシーケンス図
【図１２】本発明の実施の形態２に係る送信フォーマットテーブルを示す図
【図１３】本発明の実施の形態２に係る送信フォーマットテーブルを示す図
【図１４】本発明の実施の形態３に係る送信フォーマットテーブルを示す図
【図１５】本発明の実施の形態４に係るＢＳの構成を示すブロック図
【図１６】本発明の実施の形態４に係るＭＳの構成を示すブロック図
【図１７】本発明の実施の形態５に係るＢＳの構成を示すブロック図
【図１８】本発明の実施の形態５に係るＭＳの構成を示すブロック図
【図１９】本発明の実施の形態５に係る送信フォーマットテーブルを示す図
【図２０】Ｌ１／Ｌ２制御情報多重時の再送ビット数調整方法を示す図
【発明を実施するための形態】
【００２０】
以下、本発明の実施の形態について、図面を参照して詳細に説明する。ただし、実施の形態において、同一機能を有する構成には同一符号を付し、重複する説明は省略する。
【００２１】
ここで、本実施の形態におけるアップリンク（ＵＬ：Uplink）の時間−周波数無線リソースとその割当単位との関係を図４に示す。ここでは、時間軸に対して時間長ＴＲＢを１サブフレーム、周波数軸に対してシステム帯域幅ＢＷＳＹＳをＭ個の周波数帯域に分割したうちの１つを帯域幅ＢＷＲＢと定義する。そして、この定義に基づき、時間長ＴＲＢ×帯域幅ＢＷＲＢの時間−周波数無線リソースを１つのＭＳに対して割り当て可能な最小の単位、無線リソース割当単位（ＲＢ：Resource Block）とするＳＣ−ＦＤＭＡシステムを想定する。
【００２２】
１ＲＢはデータシンボル部とPilot部とから構成され、データシンボル部とPilot部の時間長は固定である。データシンボル部は、Ｌ１／Ｌ２制御情報、ユーザデータの送信に利用される。
【００２３】
以下の説明では、システム帯域幅ＢＷＳＹＳ＝５ＭＨｚ、１ＲＢの帯域幅ＢＷＲＢ＝１．２５ＭＨｚ（周波数軸方向のＲＢ数Ｍ＝４）、１サブフレーム長ＴＲＢ＝０．５ｍｓｅｃとする。１つのＭＳに割り当てられるＲＢ数は、周波数軸方向に１〜４とし、割当ＲＢ数に対する１サブフレーム当たりのデータシンボル数ＮＴＯＴＡＬを図５に定義する。なお、ここで定義した値はあくまで一例であり、他の値や割り当て数をとってもよいことは言うまでもない。
【００２４】
さらに、本実施の形態では、ＵＬユーザデータと多重するＬ１／Ｌ２制御情報として、ダウンリンクＡＣＫ／ＮＡＣＫ、ダウンリンクＣＱＩの２つの制御情報が存在する場合を想定する。したがって、ＡＣＫ／ＮＡＣＫ、ＣＱＩの有無に応じた動的シンボル割り当てを行う場合、図６に示すように、４通りの割り当て方があり、ユーザデータ（図中「ＤＡＴＡ」に相当）に割り当てるシンボル数ＮＤＡＴＡが制御情報の組み合わせにより変わる。すなわち、図６Ａに示すように、１サブフレームに割り当てるデータがユーザデータのみの場合、ＮＤＡＴＡ＝ＮＴＯＴＡＬとなり、また、図６Ｂに示すように、１サブフレームに割り当てるデータがユーザデータ＋ＡＣＫ／ＮＡＣＫの場合、ＮＤＡＴＡ＝ＮＴＯＴＡＬ−ＮＡＣＫとなる。また、図６Ｃに示すように、１サブフレームに割り当てるデータがユーザデータ＋ＣＱＩの場合、ＮＤＡＴＡ＝ＮＴＯＴＡＬ−ＮＣＱＩとなり、また、図６Ｄに示すように、１サブフレームに割り当てるデータがユーザデータ＋ＡＣＫ／ＮＡＣＫ+ＣＱＩの場合、ＮＤＡＴＡ＝ＮＴＯＴＡＬ−ＮＡＣＫ−ＮＣＱＩである。
【００２５】
なお、ＡＣＫ／ＮＡＣＫ、ＣＱＩ以外にも、帯域割当要求情報、端末の送信電力情報などの制御情報もＬ１／Ｌ２制御情報として含める場合も同様に拡張する。また、一部のＬ１／Ｌ２制御情報はその有無にかかわらず固定的にシンボルを割り当て、他のＬ１／Ｌ２制御情報とユーザデータの間でのみ動的シンボル割り当てを行ってもよい。
【００２６】
ＡＣＫ／ＮＡＣＫ及びＣＱＩのシンボル数、変調多値数、符号化率は固定と仮定し、ＡＣＫ／ＮＡＣＫは２０シンボル、ＣＱＩは５０シンボルで送信するものとする。
【００２７】
ユーザデータは、ＱＰＳＫ又は１６ＱＡＭのいずれかにより変調され、ＱＰＳＫにより変調された場合、１／６、１／３又は１／２のいずれかの符号化率により符号化され、１６ＱＡＭにより変調された場合、１／３、１／２、２／３又は３／４のいずれかの符号化率により符号化されると仮定する。
【００２８】
また、本実施の形態では、TB sizeのビット数は、ＣＲＣの検査ビットを付加する前の送信情報のビット数を表す。ここでは計算のため、ＣＲＣを３２ビット、誤り訂正符号化で付加するTail bitを１２ビットと仮定して、割当シンボル数、変調多値数、符号化率毎にTB sizeを算出している。
【００２９】
（実施の形態１）
図７は、本発明の実施の形態１に係るＢＳ１００の構成を示すブロック図である。この図において、符号化部１０１は、後述するＵＬスケジューラ部１０９内のＵＬ送信フォーマット決定部１１１から出力されたTF Indexを帯域割当情報として、帯域割当情報に誤り訂正符号化を施し、符号化データ列を変調部１０２に出力する。
【００３０】
変調部１０２は、符号化部１０１から出力された符号化データ列を所定の変調方式（ＱＰＳＫ、１６ＱＡＭ、６４ＱＡＭなど）により変調シンボルに変換し、変調信号を送信ＲＦ部１０３に出力する。
【００３１】
送信ＲＦ部１０３は、変調部１０２から出力された変調信号をベースバンド信号から送信する帯域にアップコンバートし、アップコンバートした変調信号をアンテナ１０４より送信する。
【００３２】
受信ＲＦ部１０５は、ＭＳから送信された信号をアンテナ１０４を介して受信し、受信した信号をベースバンド信号にダウンコンバートし、ベースバンド信号を復調部１０６に出力する。
【００３３】
復調部１０６は、受信ＲＦ部１０５から出力されたベースバンド信号（受信データシンボル列）のチャネル歪みを推定及び補正し、後述するＵＬ受信フォーマット決定部１１２から出力されたＲＢ数、変調方式に基づいて、データの変調に対応する硬判定あるいは軟判定により、チャネル歪みを補正した受信データシンボル列の信号点判定を行い、信号点判定結果を復号部１０７に出力する。
【００３４】
復号部１０７は、ＵＬ受信フォーマット決定部１１２から出力された符号化率に基づいて、復調部１０６から出力された信号点判定結果に誤り訂正処理を行い、受信データ列を分離部１０８に出力する。
【００３５】
分離部１０８は、ＵＬ受信フォーマット決定部１１２から出力されたTB sizeに基づいて、復号部１０７から出力された受信データ列をＵＬユーザデータとＬ１／Ｌ２制御情報とに分離する。
【００３６】
ＵＬスケジューラ部１０９は、送信フォーマット（ＴＦ）テーブル記憶部１１０及びＵＬ送信フォーマット決定部１１１を備えている。ＴＦテーブル記憶部１１０は、基本送信フォーマット（以下、「基本ＴＦ」という）と派生送信フォーマット（以下、「派生ＴＦ」という）とを組み合わせたテーブルを記憶する。基本ＴＦはユーザデータのみが送信される場合の割当ＲＢ数とTB sizeとが設定されており、派生ＴＦは基本ＴＦに対して、ユーザデータと同時に送信するＬ１／Ｌ２制御情報の組合せによって変化するTB sizeが設定されている。すなわち、ＴＦテーブル記憶部１１０は、基本ＴＦ及び複数の派生ＴＦに１つのTF Indexを割り当てたテーブルを記憶する。記憶されたテーブルから適当なTF Indexが選択され、選択されたTF IndexがＵＬ送信フォーマット決定部１１１に、また、TF Indexに対応するパラメータがＵＬ受信フォーマット決定部１１２に出力される。なお、ＴＦテーブルの詳細については後述する。
【００３７】
ＵＬ送信フォーマット決定部１１１は、ＭＳ識別情報（ＵＥ−ＩＤとも呼ばれる）、ＭＳ識別子に対応するＭＳの受信信号品質情報、要求割当帯域情報（データ量、伝送レートなど）、図示せぬＤＬスケジューラ部から出力されたＤＬ帯域割当情報、図示せぬＣＱＩスケジューラ部から出力されたＤＬ ＣＱＩ割当情報から、割り当てに必要なＲＢ数、送信パラメータを決定し、ＴＦテーブル記憶部１１０の該当するTF Indexを選択し、選択したTF Indexを符号化部１０１及びＵＬ受信フォーマット決定部１１２に出力する。
【００３８】
ＵＬ受信フォーマット決定部１１２は、図示せぬＤＬスケジューラ部から出力されたＤＬ帯域割当情報、図示せぬＣＱＩスケジューラ部から出力されたＤＬ ＣＱＩ割当情報、及び、ＵＬ送信フォーマット決定部１１１から出力されたTF Indexに基づいて、ＴＦテーブル記憶部１１０から該当する送信パラメータを取得し、アップリンクでＭＳより送信されるＵＬユーザデータの受信フォーマットを決定し、TB size、符号化率、ＲＢ数、変調方式などの復調に必要な受信パラメータを決定する。決定されたＲＢ数及び変調方式は復調部１０６に、符号化率は復号部１０７に、TB sizeは分離部１０８にそれぞれ出力される。
【００３９】
次に、上記ＴＦテーブル記憶部１１０の詳細について説明する。ＴＦテーブルを図８に示すように予め定義する。このＴＦテーブルはＢＳ及びＭＳ間で既知のテーブルとして記憶される。
【００４０】
このＴＦテーブルは、基本ＴＦ及び派生ＴＦの２つが組み合わされており、基本ＴＦに対してTF Indexが付与されている。基本ＴＦは、例えば、図８に示すように、ユーザデータのみが送信される場合の割当ＲＢ数、TB size、変調方式、符号化率が設定されている。
【００４１】
一方、派生ＴＦは、基本ＴＦに対して、ユーザデータと同時に送信するＬ１／Ｌ２制御情報の組み合わせにより異なるTB sizeが設定されている。すなわち、ユーザデータに割り当てられるシンボル数のみが異なり、他の変調多値数、符号化率などの送信パラメータが同一のものが、基本ＴＦと同一のTF Indexに関連付けられる。
【００４２】
言い換えると、派生ＴＦは、基本ＴＦに対して、多重されるＬ１／Ｌ２制御情報の有無により増減する（図８の場合減少する）ユーザデータのシンボル数分のレートマッチングをTB sizeで対応させたテーブルである。
【００４３】
図９は、本発明の実施の形態１に係るＭＳ１５０の構成を示すブロック図である。この図において、受信ＲＦ部１５２は、ＢＳ１００から送信された信号をアンテナ１５１を介して受信し、受信した信号をベースバンド信号にダウンコンバートし、ベースバンド信号を復調部１５３に出力する。
【００４４】
復調部１５３は、受信ＲＦ部１５２から出力されたベースバンド信号（受信データシンボル列）のチャネル歪みを推定及び補正し、変調方式に基づいて、データの変調に対応する硬判定あるいは軟判定により、チャネル歪みを補正した受信データシンボル列の信号点判定を行い、信号点判定結果を復号部１５４に出力する。
【００４５】
復号部１５４は、復調部１５３から出力された信号点判定結果に誤り訂正処理を行い、受信データ列を分離部１５５に出力する。
【００４６】
分離部１５５は、復号部１５４から出力された受信データ列をユーザデータとＵＬ帯域割当情報（TF Index）とに分離し、分離したＵＬ帯域割当情報をＵＬ送信フォーマット決定部１５７に出力する。
【００４７】
ＴＦテーブル記憶部１５６は、ＢＳ１００が有するＴＦテーブルと同一のテーブルを記憶し、記憶されたテーブルからTF Indexに対応するパラメータがＵＬ送信フォーマット決定部１５７によって読み出される。
【００４８】
ＵＬ送信フォーマット決定部１５７は、分離部１５５から出力されたＵＬ帯域割当情報としてのTF Indexを取得し、図示せぬＭＡＣ部から出力されたＬ１／Ｌ２制御情報の有無を示すＬ１／Ｌ２制御情報送信情報に基づいて、ＴＦテーブルからTB sizeを決定し、決定したTB sizeをTB size設定部１５８に出力する。また、TF Indexに対応するパラメータをＴＦテーブルから読み出し、読み出したパラメータのうち、符号化率を符号化部１５９に、ＲＢ数及び変調方式を変調部１６０に出力する。
【００４９】
TB size設定部１５８では、ＵＬ送信フォーマット決定部１５７から出力されたTB sizeにしたがって、送信するユーザデータのTB sizeを設定し、TB sizeを設定したユーザデータにＣＲＣビット（ここでは３２ｂｉｔｓ）を付加し、符号化部１５９に出力する。
【００５０】
符号化部１５９は、ＵＬ送信フォーマット決定部１５７から出力された符号化率を用いて、TB size設定部１５８から出力されたユーザデータにＴａｉｌｅ ｂｉｔの付加及び誤り訂正符号化を施し、符号化データ列を変調部１６０に出力する。
【００５１】
変調部１６０は、符号化部１５９から出力された符号化データ列をＵＬ送信フォーマット決定部１５７から出力されたＲＢ数及び変調方式（ＱＰＳＫ、１６ＱＡＭ、６４ＱＡＭなど）に基づいて、変調シンボルに変換し、変調信号を多重部１６３に出力する。
【００５２】
符号化部１６１は、Ｌ１／Ｌ２制御情報に所定の符号化率で誤り訂正符号化を施し、符号化データ列を変調部１６２に出力する。変調部１６２は、符号化部１６１から出力された符号化データ列を所定の変調方式により変調シンボルに変換し、変調信号を多重部１６３に出力する。
【００５３】
多重部１６３は、変調部１６０から出力されたユーザデータと、変調部１６２から出力されたＬ１／Ｌ２制御情報とを多重し、多重した信号を送信ＲＦ部１６４に出力する。
【００５４】
送信ＲＦ部１６４は、多重部１６３から出力された多重信号をベースバンド信号から送信する帯域にアップコンバートし、アップコンバートした多重信号をアンテナ１５１より送信する。
【００５５】
次に、上述したＢＳ１００とＭＳ１５０との通信手順について図１０を用いて説明する。ここでは、Ｌ１／Ｌ２制御情報としてＡＣＫ／ＮＡＣＫがユーザデータに多重される場合を例に説明する。
【００５６】
図１０において、ＳＴ２０１では、ＢＳ１００がＭＳ１５０に対してＤＬスケジューリングを行い、ＤＬ帯域割当情報をＭＳ１５０に送信し、ＳＴ２０２では、ＢＳ１００からＭＳ１５０にＤＬユーザデータを送信する。
【００５７】
この場合、ＵＬ帯域割り当てを行うＭＳ１５０に対し、ダウンリンクでユーザデータ送信が行われてから数ＴＴＩ（Transmission Time Interval）後、ＳＴ２０３において、ＢＳ１００がＭＳ１５０に対してＵＬスケジューリングを行う。この際、スケジューラはＭＳ１５０からの要求帯域情報（データ量、伝送レートなど）、対象とするＭＳ１５０のＵＬ ＣＱＩ情報、アップリンクでユーザデータと多重するＬ１／Ｌ２制御情報の有無や種類の情報に基づいて、適切な送信パラメータ及び割当ＲＢ数を決定し、図８のＴＦテーブルより決定した割当ＲＢ数、送信パラメータ、多重されるＬ１／Ｌ２制御情報から、そのTB sizeに対応するTF Index (=TFI)を帯域割当情報として選択する。ここでは、TB size＝２４２ビットが割り当てられ、帯域割当情報としてTFI=2が選択されるものとする。
【００５８】
ＳＴ２０４では、ダウンリンク上でＵＬ帯域割当情報（TFI=2）を対象のＭＳ１５０に通知する。
【００５９】
ＳＴ２０５では、ＵＬ帯域割当情報を受信したＭＳ１５０が、復調したTF Indexより割当ＲＢ数及び基本ＴＦのTB sizeを取得する。さらに、ＵＬユーザデータを送信するサブフレームで、同時に送信するＤＬ ＡＣＫ／ＮＡＣＫあるいは、ＤＬ ＣＱＩ送信の有無や組み合わせから、図８に示したテーブルよりTB sizeを選択し、取得したTFIに該当する送信パラメータを用いて、TB sizeの送信データに符号化及び変調を施し、必要なＬ１／Ｌ２制御情報の時間多重を行った上でアップリンク送信を行う。
【００６０】
ここでは、ＤＬ ＡＣＫ送信があるため、TB size=２４２を選択し、対応する変調パラメータとしてＱＰＳＫ、Ｒ＝１／３を用いてユーザデータの送信処理を行う。
【００６１】
また、ダウンリンクの帯域割当も同じＢＳ１００が行っているため、ＵＬスケジューリングを行う際に、ＭＳ１５０がＤＬ帯域割当情報を正しく受信できていれば、ＤＬ ＡＣＫ／ＮＡＣＫが同時に多重されることも予め知っているため、基本ＴＦのTFIを通知するだけで、多くの場合は、ＭＳ１５０側でもＢＳ１００が意図したTB sizeでＵＬ送信を行う。
【００６２】
ところで、ＢＳ１００はＵＬユーザデータの復調を行うが、例えば、ＭＳ１５０がＤＬ帯域割当情報の受信に失敗する（図１１）場合や、ＭＳ側主導でＤＬ ＣＱＩを報告する場合などが考えられる。このような場合には、ＢＳ１００がスケジューリング時に意図したTB sizeとは異なる値を用いて、ＭＳ１５０はＵＬユーザデータの送信処理を行う。
【００６３】
したがって、ＢＳ１００側では帯域割当情報で通知したTFIに該当するTB sizeの範囲内でブラインド推定、あるいは、ＭＳよりＬ１／Ｌ２制御情報の組み合わせを示す情報を受け取ることにより復調を行う。多重されるＬ１／Ｌ２制御情報が異なる場合であっても、図８に示したようなＴＦテーブルにより、ＭＳ１５０が選択可能なTB sizeを予め決めているため、ブラインド推定を行う処理量を低減できる。
【００６４】
このように実施の形態１によれば、ユーザデータのみを送信する場合のTB size、割当ＲＢ数、変調方式及び符号化率などの各パラメータの組合せである基本ＴＦと、Ｌ１／Ｌ２制御情報の組合せによってユーザデータのTB sizeが異なる派生ＴＦとを同一のIndexに関連付けることにより、上り回線の動的なシンボル割り当てを行う場合においても、Indexを通知すれば送信フォーマットを通知することができるので、スケジューリング情報のＴＦのビット数を低減でき、制御情報のオーバーヘッドを増加させることなく、上り回線の周波数利用効率を向上させることができる。また、送信する情報ビット数を調整することによりレートマッチングを実現するため、同時に制御情報が多重される場合においても、符号化率や変調方式の変更がなく、パケット誤り率を維持する場合に有効である。
【００６５】
なお、ＡＣＫ／ＮＡＣＫが多重される場合を説明したが、他のＬ１／Ｌ２制御情報が多重される場合も同様である。
【００６６】
（実施の形態２）
本発明の実施の形態２に係るＢＳ及びＭＳの構成は、実施の形態１の図７及び図９にそれぞれ示した構成と同様であるので、図７及び図９を援用し、重複する説明は省略する。
【００６７】
図１２は、本発明の実施の形態２に係るＴＦテーブルを示す図である。ここでは、基本ＴＦをユーザデータのみが送信される場合の割当ＲＢ数、TB size、変調方式、符号化率の組合せとし、派生ＴＦをＬ１／Ｌ２制御情報の組合せによってユーザデータの符号化率が異なる設定としている。すなわち、割当ＲＢ数、TB size、変調方式の各パラメータはＬ１／Ｌ２制御情報の組合せによって変化しない。
【００６８】
なお、符号化率の調整は、ターボ符号、畳み込み符号、ＬＤＰＣ符号などに代表される誤り訂正符号化の出力ビット数、誤り訂正符号化出力をさらにパンクチャリングするときのビット消去パターンを変えることにより実現してもよい。また、誤り訂正符号化の出力のビットの一部または全てのビットレピティション数あるいはシンボルレピティション数を変えることにより実現してもよい。さらには、これらの組み合わせであってもよい。
【００６９】
ただし、一部のシンボルに対してのみレピティションを行う場合は、レピティションを行うシンボル位置もあらかじめＴＦテーブルとしてＢＳとＭＳ間で共有される。
【００７０】
このように実施の形態２によれば、派生ＴＦをＬ１／Ｌ２制御情報の組合せによって異なるユーザデータの符号化率とした場合でも、スケジューリング情報の送信フォーマットのビット数を低減でき、制御情報のオーバーヘッドを増加させることなく、上り回線の周波数利用効率を向上させることができる。また、符号化率を変えることによりレートマッチングを実現するため、同時に制御情報が多重される場合においても、送信する情報ビット数に変更がなく、送信データレート（伝送レート）を維持する場合に有効である。
【００７１】
なお、派生ＴＦは、図１３に示すように、派生ＴＦを変調多値数に設定してもよく、さらに、送信するシンボルの一部または全部の変調多値数を変更することにより、Ｌ１／Ｌ２制御情報の多重の有無に対応するようにしてもよい。また、ＣＱＩを送信する場合を基本ＴＦとして設定してもよい。ただし、基本ＴＦに設定するＬ１／Ｌ２制御情報の組み合わせは、全ての組み合わせのいずれの場合であってもよく、最も頻繁に発生する組み合わせ、あるいは、基本ＴＦと派生ＴＦの受信特性の差が小さくなる組み合わせを基本ＴＦに設定することが好ましい。
【００７２】
ただし、一部のシンボルに対してのみ変調多値数を変更する設定を行う場合は、変調多値数を変更するシンボル位置もあらかじめＴＦテーブルとしてＢＳとＭＳ間で共有される。
【００７３】
（実施の形態３）
本発明の実施の形態３に係るＢＳ及びＭＳの構成は、実施の形態１の図７及び図９にそれぞれ示した構成と同様であるので、図７及び図９を援用し、重複する説明は省略する。
【００７４】
図１４は、本発明の実施の形態３に係るＴＦテーブルを示す図である。ここでは、図８に示すテーブルとは異なり、全てのTF Indexについて、Ｌ１／Ｌ２制御情報の組合せに一対一に対応したTB sizeを設定せず、いくつかのＬ１／Ｌ２制御情報の組合せに対して、１つのTB sizeを設定する。すなわち、Ｌ１／Ｌ２制御情報の組合せに対して、ユーザデータをレートマッチングする割合を共通化する。
【００７５】
特に、低伝送レートの変調方式、符号化率を用いるTF Indexは、高伝送レートのTF Indexに比べて、周波数利用効率が極めて低いため、Ｌ１／Ｌ２制御情報の組合せに対して細かく対応することにより、無線リソースの利用効率を向上させることができる。
【００７６】
このように実施の形態３によれば、多重されるＬ１／Ｌ２制御情報の有無に応じてレート調整を行っても周波数利用効率の改善効果が小さい派生ＴＦの数を減らすことにより、レートマッチングに伴う送受信機の複雑さを低減することができる。
【００７７】
なお、Ｌ１／Ｌ２制御情報の組合せに対してレートマッチングを行うパラメータは、実施の形態２等に記載したように、TB sizeに限らず、符号化率、変調方式、割当ＲＢ数など、他のパラメータを適用してもよい。また、TF Indexに対する派生ＴＦ割り当て数は、図１４に示した数に限定されず、ＢＳ、ＭＳの能力に応じて設定してもよい。
【００７８】
（実施の形態４）
本発明の実施の形態４では、Channel dependent scheduling/ Adaptive scheduling（伝送路品質に応じた適応時間−周波数スケジューリング、以下、単に「適応スケジューリング」という）及びPersistent scheduling/ Static schedulingを切り替えてスケジューリングする場合を想定して説明する。
【００７９】
適応スケジューリングは、アップリンク伝送路品質及び要求データ量に応じて、適応変調、適応帯域割当、適応帯域幅割当を行う。また、ＭＳに対して帯域割当（スケジューリング）毎に帯域割当情報をダウンリンクにおいて通知する。適応スケジューリングの適用例としては、移動速度が比較的遅く、伝送路品質の瞬時変動に対応して、受信品質の良い帯域及び最適な送信パラメータを割り当て毎に設定可能なＭＳに対して適用すること、または、送信データが周期的ではなくバースト的に発生するサービスに対して適用することなどが考えられる。
【００８０】
一方、Persistent schedulingは、アップリンク伝送路品質および要求データ量に応じて、変調方式、符号化率、帯域幅、スロット数を割り当て、初回の帯域割り当てのみ帯域割当情報をダウンリンクにおいて通知する。２回目〜Ｋ回目までの帯域割り当ては、予め決められた周期や周波数ホッピング・パターンを用いて帯域割り当てが行われるため、帯域割当情報をダウンリンクにおいて通知することなく、アップリンク・ユーザデータ送信を行う（Ｋ回目はシステムにより決定される固定割当回数を表す値）。Persistent schedulingの適用例としては、周期的に送信データが発生する定ビットレート（Constant bit rate）サービス（例えば、VoIP, Video streaming, Internet Gameなど）に適用すること、または、移動速度が速く適応スケジューリングに適さないＭＳに対するスケジューリングに適用することなどが考えられる。
【００８１】
図１５は、本発明の実施の形態４に係るＢＳ３００の構成を示すブロック図である。図１５が図７と異なる点は、複数のＴＦテーブル記憶部３０２，３０３と、テーブル選択部３０４とを追加し、符号化部１０１を符号化部３０５に変更した点である。
【００８２】
図１５において、ＵＬスケジューラ部３０１は、第１ＴＦテーブル記憶部３０２、第２ＴＦテーブル記憶部３０３、テーブル選択部３０４、ＵＬ送信フォーマット決定部１１１を備えている。
【００８３】
第１ＴＦテーブル記憶部３０２には、図８に示したＴＦテーブルが記憶されており、第２ＴＦテーブル記憶部３０３には、図１２に示したＴＦテーブルが記憶されている。
【００８４】
テーブル選択部３０４は、あるＭＳに対して適応スケジューリングを行うかPersistent schedulingを行うかを示すＵＬスケジューリング種別情報を取得し、ＵＬスケジューリング種別情報に従って、帯域割り当てに適用するテーブルを選択する。選択されたＴＦテーブルは、帯域割り当て時にはＵＬ送信フォーマット決定部１１１により利用され、ＵＬデータ受信時にはＵＬ受信フォーマット決定部１１２により利用される。
【００８５】
より具体的には、テーブル選択部３０４は、適応スケジューリングを行うＭＳに対しては、派生ＴＦにTB sizeが設定されたテーブル（図８に示したＴＦテーブル）を適用し、周波数利用効率の最大化を図る。
【００８６】
一方、Persistent schedulingを行うＭＳに対しては、派生ＴＦに符号化率、変調方式、レピティション数などの物理レイヤのパラメータが設定されたテーブル（図１２等に示したＴＦテーブル）を適用する。これは、Persistent schedulingされるＭＳは、一定期間、送信帯域が増減しないため、TB sizeを変更せず、符号化率、変調方式、レピティション数などのレートマッチングを用いた派生ＴＦを用いることで、送信すべきデータを毎回送信可能であり、通信Delayやジッタを小さくできるからである。
【００８７】
なお、Persistent scheduling時は、初回送信のみ帯域割当情報が送信され、２回目〜Ｋ回目のＵＬユーザデータの帯域割り当て時には、一般に、帯域割当情報は送信されない。
【００８８】
符号化部３０５は、ＵＬ送信フォーマット決定部１１１から出力された帯域割当情報としてのTF Indexに加え、ＵＬスケジューリング種別情報に誤り訂正符号化を施し、符号化データ列を変調部１０２に出力する。
【００８９】
図１６は、本発明の実施の形態４に係るＭＳ３５０の構成を示すブロック図である。図１６は図９と異なる点は、複数のＴＦテーブル記憶部３５１，３５２と、テーブル選択部３５３とを追加した点である。
【００９０】
図１６において、第１ＴＦテーブル記憶部３５１には、図８に示したＴＦテーブルが記憶されており、第２ＴＦテーブル記憶部３５２には、図１２に示したＴＦテーブルが記憶されている。
【００９１】
テーブル選択部３５３は、分離部１５５から出力されたＵＬスケジューリング種別情報を取得し、ＵＬスケジューリング種別情報に従って、帯域割り当てに適用するテーブルを選択する。選択されたＴＦテーブルは、帯域割り当て時にはＵＬ送信フォーマット決定部１５７により利用される。
【００９２】
このように実施の形態４によれば、Persistent schedulingされるＭＳには、一定期間送信帯域が増減しないため、TB sizeを変更しないレートマッチングを行うことにより、送信すべきデータを毎回送信可能であり、通信Delayやジッタを小さくすることができ、一方、適応スケジューリングされるＭＳには、帯域割り当て毎に、最新のＣＱＩを用いた制御を行うため、TB sizeによるレートマッチングを行うことにより、周波数利用効率を向上させることができる。
【００９３】
なお、本実施の形態では、２つのＴＦテーブルを切り替える場合について説明したが、本発明はこれに限らず、２つ以上のＴＦテーブルを切り替えるようにしてもよい。
【００９４】
（実施の形態５）
本発明の実施の形態５では、ＩＲ（Incremental redundancy）方式のＨＡＲＱ（Hybrid Auto Repeat reQuest）を適用したシステムを想定した場合について説明する。
【００９５】
図１７は、本発明の実施の形態５に係るＢＳ４００の構成を示すブロック図である。図１７が図７と異なる点は、複数のＴＦテーブル記憶部４０２，４０３と、テーブル選択部４０４とを追加した点である。
【００９６】
図１７において、ＵＬスケジューラ部４０１は、第１ＴＦテーブル記憶部４０２、第２ＴＦテーブル記憶部４０３、テーブル選択部４０４、ＵＬ送信フォーマット決定部１１１を備えている。
【００９７】
第１ＴＦテーブル記憶部４０２には、図８、図１２、図１３、図１４等に示した第１テーブルが記憶されており、第２ＴＦテーブル記憶部４０３には、派生ＴＦをＬ１／Ｌ２制御情報の組合せによって再送ビット数が異なる設定とした第２テーブルが記憶されている。
【００９８】
テーブル選択部４０４は、再送回数情報を取得し、ＵＬユーザデータの再送回数に従って、帯域割り当てに適用するテーブルを選択する。具体的には、初回送信（再送回数０）のＭＳに対しては、第１テーブルを選択し、再送回数１以上のＭＳに対しては、第２テーブルを選択する。選択されたＴＦテーブルは、帯域割当時にはＵＬ送信フォーマット決定部１１１により利用され、ＵＬデータ受信時にはＵＬ受信フォーマット決定部１１２により利用される。
【００９９】
図１８は、本発明の実施の形態５に係るＭＳ４５０の構成を示すブロック図である。図１８が図９と異なる点は、複数のＴＦテーブル記憶部４５１，４５２と、テーブル選択部４５３とを追加した点である。
【０１００】
図１８において、第１ＴＦテーブル記憶部４５１には、図８、図１２、図１３、図１４等に示した第１テーブルが記憶されており、第２ＴＦテーブル記憶部４５２には、再送時に送信するビット数がＬ１／Ｌ２制御情報の組合せに応じて派生ＴＦに設定された第２テーブルが記憶されている。
【０１０１】
テーブル選択部４５３は、再送回数情報を取得し、ＵＬユーザデータの再送回数に従って、帯域割り当てに適用するテーブルを選択する。なお、再送回数は、同一ＵＬユーザデータ送信パケットについて、ＢＳから通知されるＮＡＣＫの受信回数をカウントすることにより取得される。
【０１０２】
図１９は、本発明の実施の形態５に係るＴＦテーブルを示す図である。ここでは、上述したように、派生ＴＦをＬ１／Ｌ２制御情報の組合せによって再送ビット数が異なる設定としている。再送時に再送ビット数が変わる場合、例えば、具体的に以下のように調整を行う。
【０１０３】
本実施の形態では、ＩＲ方式のＨＡＲＱシステムを想定しているため、このようなシステムでは、図２０に示すように、再送毎に、送信する冗長ビットを追加することから、再送する冗長ビット数をＬ１／Ｌ２制御情報の有無や組合せにより調整する。したがって、Ｌ１／Ｌ２制御情報がある場合は送信する冗長ビット数がＬ１／Ｌ２制御情報がない場合（図２０（ａ））に比べて少なくなる。再送時に送信する冗長ビットの送信開始位置は、図２０（ｂ）に示すように、直前に送信を行った冗長ビットの続きの部分から再送を開始してもよい。あるいは、図２０（ｃ）に示すように、Ｌ１／Ｌ２制御情報が多重されない場合に送信するビット位置より再送を行ってもよい。冗長ビットの送信開始位置は、ＢＳおよびＭＳ間で予め共有される。
【０１０４】
このように実施の形態５によれば、再送する冗長ビット数及び冗長ビット選択パターンを調整して再送時のレートマッチングを行うことにより、再送時にＬ１／Ｌ２制御情報が多重される場合でも、冗長ビットを有効に送信することができる。再送時に、ＵＬ帯域割当情報をダウンリンクにおいて通知しないSynchronous HARQでは、特に有効である。
【０１０５】
なお、本実施の形態では、ＩＲ方式のＨＡＲＱシステムを想定して、再送時に再送ビット数が変わる場合の具体的な調整について説明したが、非特許文献３に記載のＨＳＤＰＡ（High Speed Downlink Packet Access）システムで適用されるＨＡＲＱにおいては、以下のようになる。すなわち、帯域割当情報に含めて通知されるＲＶ(Redundancy Version)変数のパラメータｓ及びパラメータｒにより、再送時のレートマッチングと送信ビットが決定される。
【０１０６】
パラメータｓは、ｓ＝０の場合、システマチックビット(Systematic bit)を優先して再送するモードであり、ＴＦテーブルが示す再送ビット数に対してシステマチックビットを再送するビットとして選択し、更に再送ビット数に余裕があればパリティビット(Parity bit)を送信する。
【０１０７】
一方、ｓ＝１の場合、パリティビットを優先して再送するモードであり、ＴＦテーブルが示す再送ビット数に対してパリティビットを再送するビットとして選択し、更に再送ビット数に余裕があればシステマチックビットを送信する。
【０１０８】
パラメータｒは、再送回数を示すパラメータであり、ビットパンクチャリングを行う開始位置を決定する。
【０１０９】
このようなＨＡＲＱシステムでは、Ｌ１／Ｌ２制御情報の組合せにより、再送するビット数が増減する場合、再送時に優先される側のビットではなく、優先されない側のビット数を増減する。つまり、ｓ＝０の場合、パリティビットのビット数を増減することで再送ビット数に合わせる。また、ｓ＝１の場合、システマチックビット数を増減することで再送ビット数に合わせる。
【０１１０】
また、本実施の形態は、２つのＴＦテーブルを切り替える場合について説明したが、本発明はこれに限らず、２つ以上のＴＦテーブルを切り替えるようにしてもよい。また、再送時のＴＦテーブルは再送回数毎に切り替えるようにしてもよい。
【０１１１】
また、本実施の形態は、実施の形態４と組み合わせてもよい。
【０１１２】
なお、上記各実施の形態では、ＡＣＫ／ＮＡＣＫ、ＣＱＩなどのＬ１／Ｌ２制御情報のシンボル数、変調多値数、符号化率が固定の場合を例に説明したが、本発明はこれに限らず、例えば、ＤＡＴＡのシンボル数、変調多値数、符号化率がチャネル品質などに対応して変化する場合、これらに対応してＬ１／Ｌ２制御情報のシンボル数、変調多値数、符号化率が与えられてもよい。
【０１１３】
また、上記各実施の形態では、基本ＴＦ及び派生ＴＦをテーブルとして記憶する例を示したが、式で定義されてもよい。
【０１１４】
また、上記各実施の形態では、本発明をハードウェアで構成する場合を例にとって説明したが、本発明はソフトウェアで実現することも可能である。
【０１１５】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１６】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１１７】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１１８】
２００６年５月１９日出願の特願２００６−１４０４６２の日本出願に含まれる明細書、図面および要約書の開示内容は、すべて本願に援用される。
【産業上の利用可能性】
【０１１９】
本発明にかかる集積回路は、動的シンボル割り当てを行う場合でも、ダウンリンク、アップリンクのスループットを改善することができ、例えば、３ＧＰＰ ＬＴＥ無線通信システム等に適用できる。
【符号の説明】
【０１２０】
１０１、１５９、１６１、３０５  符号化部
１０２、１６０、１６２  変調部
１０３、１６４  送信ＲＦ部
１０４、１５１  アンテナ
１０５、１５２  受信ＲＦ部
１０６、１５３  復調部
１０７、１５４  復号部
１０８、１５５  分離部
１０９、３０１、４０１  ＵＬスケジューラ部
１１０、１５６  ＴＦテーブル記憶部
１１１、１５７  ＵＬ送信フォーマット決定部
１１２  ＵＬ受信フォーマット決定部
１５８  TB size設定部
１６３  多重部
３０２、３５１、４０２、４５１  第１ＴＦテーブル記憶部
３０３、３５２、４０３、４５２  第２ＴＦテーブル記憶部
３０４、３５３、４０４、４５３  テーブル選択部
【図１】
0005504303.tif 000002
【図２】
0005504303.tif 000003
【図３】
0005504303.tif 000004
【図４】
0005504303.tif 000005
【図５】
0005504303.tif 000006
【図６】
0005504303.tif 000007
【図７】
0005504303.tif 000008
【図８】
0005504303.tif 000009
【図９】
0005504303.tif 000010
【図１０】
0005504303.tif 000011
【図１１】
0005504303.tif 000012
【図１２】
0005504303.tif 000013
【図１３】
0005504303.tif 000014
【図１４】
0005504303.tif 000015
【図１５】
0005504303.tif 000016
【図１６】
0005504303.tif 000017
【図１７】
0005504303.tif 000018
【図１８】
0005504303.tif 000019
【図１９】
0005504303.tif 000020
【図２０】
0005504303.tif 000021